(57)【特許請求の範囲】
【請求項１】
同時録画された複数チャンネルのコンテンツデータを連続して再生する再生部と、
前記連続して再生されるコンテンツデータの再生速度を制御する速度制御部と、
前記連続して再生されるコンテンツデータが所定の再生速度よりも速い再生速度で高速再生されている間、前記連続して再生されるコンテンツデータ内における複数の再生位置を設定する設定部と、
前記再生部を制御して、前記連続して再生されるコンテンツデータのうち、前記設定された複数の再生位置近傍の複数のデータを前記所定の再生速度で続けて再生させる連続再生制御部と、
を備えた再生装置。
【請求項２】
前記連続して再生されるコンテンツデータが高速再生されている間、前記設定された再生位置のコンテンツデータから再生した画像のサムネイル画像を表示部に表示させる表示制御部を備えた請求項１に記載の再生装置。
【請求項３】
前記表示制御部は、前記連続して再生されるコンテンツデータが高速再生されている間、前記設定された再生位置のコンテンツデータを識別する識別情報を前記表示部に表示させる請求項１または２に記載の再生装置。
【請求項４】
前記表示制御部は、前記データが再生されている間、前記設定された再生位置のコンテンツデータから再生した画像のサムネイル画像を前記表示部に表示させる請求項１から３のいずれか一に記載の再生装置。
【請求項５】
前記表示制御部は、前記データが再生されている間、前記設定された再生位置のコンテンツデータを識別する識別情報を前記表示部に表示させる請求項４に記載の再生装置。
【請求項６】
前記表示制御部は、前記設定された再生位置のコンテンツデータから再生した画像のサムネイル画像のうち、再生中の前記データと同じコンテンツデータから再生した画像のサムネイル画像を強調表示する請求項４または５に記載の再生装置。
【請求項７】
前記連続再生制御部は、前記設定された再生位置が所定の再生位置である場合、前記連続して再生されるコンテンツデータのうち、前記設定された再生位置から遡った位置近傍の前記データを再生する請求項１から６のいずれか一に記載の再生装置。
【請求項８】
再生装置で実行される再生方法であって、
前記再生装置は、制御部を備え、
前記制御部は、
再生部が、同時録画された複数チャンネルのコンテンツデータを連続して再生する工程と、
速度制御部が、前記連続して再生されるコンテンツデータの再生速度を制御する工程と、
設定部が、前記連続して再生されるコンテンツデータが所定の再生速度よりも速い再生速度で高速再生されている間、前記連続して再生されるコンテンツデータ内における複数の再生位置を設定する工程と、
連続再生制御部が、前記再生部を制御して、前記連続して再生されるコンテンツデータのうち、前記設定された複数の再生位置近傍の複数のデータを前記所定の再生速度で続けて再生させる工程と、
を含む再生方法。
【発明の詳細な説明】
【技術分野】
【０００１】
本発明の実施形態は、再生装置および再生方法に関する。
【背景技術】
【０００２】
近年、同一時間帯の多数チャンネルの番組を同時録画するタイムシフト機能によって、一日分の多数チャンネルの番組を録画し、視聴することが可能になった。しかしながら、タイムシフト機能を利用して多数チャンネルの一日分の番組を録画した場合、大量の番組が録画されるため、録画した全ての番組を視聴するのには時間がかかり、ユーザが視聴したい番組を検索するのも困難である。特に、タイムシフト機能を利用して録画された番組の中から、普段視聴しない新たな番組を検索することが困難である。
【０００３】
そのため、タイムシフト機能により録画した長時間の番組のコンテンツを高速で再生して、視聴時間を短時間に縮める視聴スタイルが用いられている。しかしながら、コンテンツを高速で再生する方法は、視聴した番組の詳細を把握することが困難である。
【０００４】
そこで、コンテンツを高速で再生中に、リモコンのマークキーの押下操作が行われたときの所望の映像シーンをマーク位置として設定するとともに、設定されたマーク位置から所定量戻った位置からコンテンツをスロー再生する技術が提案されている（特許文献１参照）。また、ディスクに収録されている曲（コンテンツ）を所定時間ずつ順に再生する技術が提案されている（特許文献２参照）。
【先行技術文献】
【特許文献】
【０００５】
【特許文献１】特開２００４−３５６７９３号公報
【特許文献２】特開２００４−０９５１００号公報
【発明の概要】
【発明が解決しようとする課題】
【０００６】
しかしながら、特許文献１に記載の技術によれば、所望の映像シーンを容易に検索することができかつ当該所望の映像シーンの詳細を把握することができるものの、所望の映像シーンを見つける度に、マーク位置の設定およびスロー再生が行われるため、タイムシフト機能により録画した大量の番組の中に所望の映像シーンが複数ある場合、所望の映像シーンだけを連続して視聴することはできない。また、特許文献２に記載の技術によれば、ディスクに収録されている曲の詳細を聴くことができるものの、ディスクに収録されている曲のうち、所定時間再生される部分は、予め設定されており、所望の部分だけを聞くことはできない。
【０００７】
本発明は、上記に鑑みてなされたものであって、タイムシフト機能により録画された大量のコンテンツデータのうち複数の所望の部分だけを連続して再生させることができる、再生装置および再生方法を提供することを目的とする。
【課題を解決するための手段】
【０００８】
実施形態の再生装置は、再生部と、速度制御部と、設定部と、連続再生制御部と、を備える。前記再生部は、同時録画された複数チャンネルのコンテンツデータを連続して再生する。前記速度制御部は、前記連続して再生されるコンテンツデータの再生速度を制御する。前記設定部は、前記連続して再生されるコンテンツデータが所定の再生速度よりも速い再生速度で高速再生されている間、前記連続して再生されるコンテンツデータ内における複数の再生位置を設定する。前記連続再生制御部は、前記再生部を制御して、前記連続して再生されるコンテンツデータのうち、前記設定された複数の再生位置近傍の複数のデータを前記所定の再生速度で続けて再生させる。
【図面の簡単な説明】
【０００９】
【図１Ａ】図１Ａは、本実施形態にかかる多チャンネル受信装置の構成の一例を示すブロック図である。
【図１Ｂ】図１Ｂは、リモートコントローラの外観を示す平面図である。
【図２】図２は、チューナ部の構成の一例を示すブロック図である。
【図３】図３は、本実施形態にかかる多チャンネル受信装置による部分コンテンツデータの再生動作の概要を示すフローチャートである。
【図４】図４は、本実施形態にかかる多チャンネル受信装置による部分コンテンツデータの再生動作の詳細を示すフローチャートである。
【図５】図５は、複数のチャンネルのコンテンツデータを高速再生する方法の一例を示す図である。
【図６】図６は、複数のチャンネルのコンテンツデータを高速再生する方法の一例を示す図である。
【図７】図７は、コンテンツデータの高速再生中におけるサムネイル画像の表示例を示す図である。
【図８】図８は、識別情報の一覧の表示例を示す図である。
【図９】図９は、設定された再生位置をずらして部分コンテンツデータを再生する処理の説明図である。
【図１０】図１０は、設定された再生位置をずらして部分コンテンツデータを再生する処理の説明図である。
【図１１】図１１は、部分コンテンツデータの再生中におけるサムネイル画像の表示例を示す図である。
【図１２】図１２は、部分コンテンツデータの再生が終了する度に表示される選択画面の一例を示す図である。
【発明を実施するための形態】
【００１０】
以下に添付図面を参照して、この発明にかかる再生装置および再生方法の最良な実施形態を詳細に説明する。なお、本実施形態では、この発明にかかる再生装置および再生方法を、複数チャンネルの番組（コンテンツ）のコンテンツデータを同時録画でき、かつ同時録画したコンテンツデータを再生できるＨＤＤ（Hard  Disk  Drive）レコーダやＨＤＤ＋ＤＶＤ（Digital  Versatile  Disc）レコーダなどの多チャンネル受信装置に適用した例を用いて説明するが、これに限定するものではない。例えば、複数チャンネルの番組のコンテンツデータを、内蔵するＨＤＤに同時録画することができる液晶ディスプレイやプラズマディスプレイ等を備えたテレビジョン受信装置にも適用することができる。
【００１１】
図１Ａは、本実施形態にかかる多チャンネル受信装置の構成の一例を示すブロック図である。図１Ａに示すように、多チャンネル受信装置１００は、チューナ装置１０１、記憶装置１１１、ＥＰＧ（Electronic  Program  Guide）処理部１１２、ＥＰＧメモリ１１３、ＭＰＥＧ（Moving  Picture  Experts  Group）デコーダ１１４、オンスクリーン表示部１１５、リモートコントローラ受信部１１６、システムコントローラ１１７、録画再生制御部１１８およびネットワークＩ／Ｆ１１９を備えて構成される。また、多チャンネル受信装置１００は、ネットワークＩ／Ｆ１１９を介して通信ネットワークＮＷと接続することで、通信ネットワークＮＷ上にあるサーバ３００が提供するネットワークサービスを利用可能である。
【００１２】
サーバ３００は、ビデオオンデマンドとして通信ネットワークＮＷを介して接続された情報機器からの要求に応じた番組を提供するネットワークサービスを行う。また、サーバ３００は、通信ネットワークＮＷを介して接続された情報機器からの要求に応じ、提供（配信）可能な番組に関する情報を含むメタデータを送信する。
【００１３】
チューナ装置１０１は、複数のチューナ部を用いて、ＨＤＤなどの記憶装置１１１に同時録画する番組のコンテンツデータが多重された複数チャンネルのトランスポートストリーム（ＴＳ）を受信するものである。チューナ装置１０１が受信するトランスポートストリームはワンセグ及びフルセグを含むものであってよい。本実施形態では、チューナ装置１０１は、Ｃｈ１〜ＣｈＮまでのＮ個のチャンネルのトランスポートストリームを受信するチューナ部１０２〜１１０を備えている。そして、チューナ部１０２〜１１０から出力されたＣｈ１〜ＣｈＮのトランスポートストリームは、ＥＰＧ処理部１１２および録画再生制御部１１８に送られる。なお、チューナ部の数はチューナ部１０２〜１１０の９個に限定されず、幾つでもよい。
【００１４】
ここで、図２を参照して、本実施形態にかかるチューナ部１０２〜１１０の詳細な構成について説明する。図２は、チューナ部の構成の一例を示すブロック図である。以下の説明では、チューナ部１０２の構成について説明するが、他のチューナ部（１０３〜１１０）についても同様である。図２に示すように、チューナ部１０２は、選局部２０１、分離部２０２、デスクランブラ２０３、分離部２０４、カードＩＤメモリ２０５及びＩＣカード２０６を備えて構成される。
【００１５】
アンテナ入力は、まず、選局部２０１で選局される。選局されたチャンネルのトランスポートストリームは、分離部２０２及びデスクランブラ２０３に入力される。分離部２０２は、トランスポートストリームに多重されている制御データＥＣＭ（Entitlement  Control  Message）を分離し、分離した制御データＥＣＭをＩＣカード２０６に入力する。分離部２０４は、トランスポートストリームに多重されている制御データＥＭＭ（Entitlement  Management  Message）の中からＩＣカード２０６向けのＥＭＭを分離し、ＩＣカード２０６に入力する。このＩＣカード２０６向けのＥＭＭを分離する際に、ＩＣカード２０６から出力され、カードＩＤメモリ２０５に設定されたカードＩＤを使用し、分離部２０４にて分離するものである。
【００１６】
ＩＣカード２０６は、入力された制御データＥＣＭ及び制御データＥＭＭを用いてスクランブル鍵を復号する。そして、デスクランブラ２０３は、ＩＣカード２０６で復号されたスクランブル鍵を用いて、トランスポートストリームに多重されているコンテンツデータをデスクランブルして出力する。なお、本実施形態では、ＩＣカード２０６がそれぞれチューナ部に備えられているが、複数のチューナ部が１つのＩＣカードを兼用することもできる。
【００１７】
図１Ａに戻り、記憶装置１１１は、例えばＨＤＤなどの大容量記憶媒体である。記憶装置１１１は、録画再生制御部１１８の制御の下でコンテンツデータを記憶（録画）する。記憶装置１１１に記憶されたコンテンツデータは、録画再生制御部１１８の制御の下で読み出されて再生される。
【００１８】
ＥＰＧ処理部１１２は、チューナ部１０２〜１１０から出力されたＣｈ１〜ＣｈＮのトランスポートストリームから、各チャンネルの各時間帯の番組（配信予定の番組）を示す番組配列情報（ＳＩ情報）であるＥＰＧ情報を抽出し、ＥＰＧメモリ１１３に格納する。
【００１９】
また、ＥＰＧ処理部１１２は、通信ネットワークＮＷ及びネットワークＩ／Ｆ１１９を介して接続するサーバ３００から取り込んだメタデータをＥＰＧメモリ１１３に格納する。このメタデータは、例えば電子番組案内情報（ＤＥＰＧ：Dynamic  Electronic  Program  Guide）を含むものであり、サーバ３００が通信ネットワークＮＷを介して接続する情報機器に配信する番組（配信予定も含む）に関する情報である。すなわち、メタデータは、ビデオオンデマンドとしてサーバ３００によるネットワークサービスで提供される番組に関する情報である。このメタデータの取り込みは、サーバ３００によるネットワークサービスで提供される番組のトランスポートストリームから抽出してもよいし、ＵＲＬ（Uniform  Resource  Locator）を指定してサーバ３００から直接ダウンロードしてもよい。なお、本実施形態にかかるネットワークサービスで提供される番組の信号形式は放送信号と同等のトランスポートストリームとしたが、プログラムストリームなど、他の形式であってもよい。その場合には、多チャンネル受信装置１００には信号形式に応じた分離部、デコード部、受信バッファ等が必要となる場合もある。
【００２０】
本実施形態では、日本の地上デジタル放送のようにＣｈ１〜ＣｈＮの各トランスポートストリームから各チャンネルのＥＰＧ情報を抽出する例について説明するが、これに限定するものではない。例えばＢＳ（Broadcasting  Satellite）デジタル放送のように各チャンネルにＢＳ全チャンネルのＥＰＧ情報が多重されて提供されている場合もある。また、Ｃｈ１〜ＣｈＮの各トランスポートストリームに含まれるＥＰＧ情報には、各時間帯の番組がビデオオンデマンドとしてサーバ３００によるネットワークサービスで提供されるか否かに関する情報を含むものであってもよい。
【００２１】
また、ＥＰＧ処理部１１２は、リモートコントローラ２００が備える番組表ボタンなどの押下に応じて、ＥＰＧメモリ１１３に格納されているＥＰＧ情報を取得し、取得したＥＰＧ情報をチャンネル毎に時系列に並べた番組表の番組表データをオンスクリーン表示部１１５に供給してＴＶに番組表を表示する。なお、ＥＰＧ処理部１１２は、ＥＰＧメモリ１１３に格納されているＥＰＧ情報を常に新しい内容に更新するために、Ｃｈ１〜ＣｈＮのトランスポートストリームからＥＰＧ情報を抽出し、抽出したＥＰＧ情報によりＥＰＧメモリ１１３に格納されているＥＰＧ情報を更新するものとする。
【００２２】
ＭＰＥＧデコーダ１１４は、録画再生制御部１１８から出力されたコンテンツデータにＭＰＥＧ２デコード処理を施したコンテンツデータをオンスクリーン表示部１１５に入力する。オンスクリーン表示部１１５は、ＥＰＧ処理部１１２から供給された番組表データ及びＭＰＥＧデコーダ１１４により入力されたコンテンツデータをテレビジョン信号（ＴＶ信号）として、ＴＶに供給する。これにより、ＴＶは、番組表の表示や、チューナ装置１０１で受信した番組、サーバ３００によるネットワークサービスにより提供された番組、記憶装置１１１に記憶された番組の表示を行うことが可能となる。
【００２３】
リモートコントローラ受信部１１６は、リモートコントローラ２００から赤外線や無線により送信される信号を受信する。リモートコントローラ２００は、ユーザの操作を受け付け、その操作に対応した信号を赤外線や無線により送信する。すなわち、多チャンネル受信装置１００は、リモートコントローラ２００によりユーザの操作を受け付ける構成である。なお、多チャンネル受信装置１００は、操作キーやタッチパネルなど（いずれも図示しない）を介してユーザの操作を受け付けてもよい。
【００２４】
図１Ｂは、リモートコントローラの外観を示す平面図である。図１Ｂに示すように、リモートコントローラ２００には、主として、電源キー２５ａ、２次元／３次元変換キー２５ｂ、数字キー２５ｃ、チャンネルアップダウンキー２５ｄ、音量調整キー２５ｅ、カーソル上キー２５ｆ、カーソル下キー２５ｇ、カーソル左キー２５ｈ、カーソル右キー２５ｉ、決定キー２５ｊ、メニューキー２５ｋ、戻るキー２５ｌ、終了キー２５ｍ、４色（青，赤，緑，黄）のカラーキー２５ｎ等が設けられている。
【００２５】
また、リモートコントローラ２００には、ユーザが視聴したいときに視聴したい映像を配信するＶＯＤ（Video  On  Demand）サービスを受けるためのＶＯＤキー２５ｕが設けられている。
【００２６】
また、リモートコントローラ２００には、再生停止キー２５ｏ、再生／一時停止キー２５ｐ、逆方向スキップキー２５ｑ、順方向スキップキー２５ｒ、早戻しキー２５ｓ、早送りキー２５ｔ等が設けられている。
【００２７】
図１Ａに戻り、システムコントローラ１１７は、多チャンネル受信装置１００全体の処理を制御するものである。具体的には、システムコントローラ１１７は、マイクロコントローラや、ＣＰＵ（Central  Processing  Unit）、ＲＯＭ（Read  Only  Memory）、ＲＡＭ（Random  Access  Memory）などを有する制御回路であってよい。システムコントローラ１１７は、マイクロコントローラやＣＰＵがＲＯＭなどに格納されたプログラムをＲＡＭに展開して順次実行することで、録画再生制御部１１８への制御信号の出力処理、コンテンツデータに関する所定の処理に係る処理情報の表示処理などを行う。また、システムコントローラ１１７は、上述したプログラムを順次実行することで、速度制御部１１７ａ、設定部１１７ｂ、連続再生制御部１１７ｃ、選択部１１７ｄ、表示部１１７ｅの機能を提供する。
【００２８】
録画再生制御部１１８は、Ｃｈ１〜ＣｈＮのトランスポートストリームおよびサーバ３００によるネットワークサービスで提供される番組のトランスポートストリームに多重されているコンテンツデータに関する所定の処理を実行する。本実施形態では、録画再生制御部１１８は、システムコントローラ１１７からの制御信号に応じて、チューナ部１０２〜１１０から受信したトランスポートストリーム及びネットワークＩ／Ｆ１１９から受信したトランスポートストリームに多重されているコンテンツデータ、または記憶装置１１１に録画されているコンテンツデータを選択して、ＭＰＥＧデコーダ１１４に出力する再生処理を実行する。
【００２９】
また、録画再生制御部１１８は、トランスポートストリームからコンテンツデータを抽出し、抽出したコンテンツデータに、そのコンテンツデータを識別するための情報であって、コンテンツデータを録画した番組のチャンネルを示すチャンネル情報、コンテンツデータを録画した番組の番組名、コンテンツデータを録画した録画日時、コンテンツデータの再生履歴などを含む識別情報を付加して記憶装置１１１への記憶（録画）処理を実行する。この録画再生制御部１１８における録画処理は、システムコントローラ１１７から出力される録画のための制御信号に従って行われる。
【００３０】
なお、録画再生制御部１１８は、サーバ３００によるネットワークサービスを利用できることから、記憶装置１１１への録画を設定しないとされた番組（詳細は後述する）については、システムコントローラ１１７からの制御信号に従って、ワンセグデータ又はフルセグデータをトランスコードしたデータを、サムネイル表示用のデータとして記憶装置１１１へ記憶してもよい。
【００３１】
速度制御部１１７ａは、録画再生制御部１１８によるコンテンツデータの再生速度を制御するものである。本実施形態では、速度制御部１１７ａは、ユーザによってリモートコントローラ２００が操作されてオンスクリーン表示部１１５により表示された過去番組表（記憶装置１１１に記憶された番組の番組表）の中から、コンテンツデータを再生するチャンネルが選択され、かつリモートコントローラ２００の早送りキー２５ｔが押下操作されると、録画再生制御部１１８によって、選択されたチャンネルのコンテンツデータの先頭（録画日時が最も古いコンテンツデータ）から当該選択されたチャンネルのコンテンツデータの終端（録画日時が最も新しいコンテンツデータ）までを、所定の再生速度よりも速い再生速度（例えば、１２０倍速）で高速再生させる。
【００３２】
また、速度制御部１１７ａは、コンテンツデータを高速再生中に、リモートコントローラ２００の順方向スキップキー２５ｒが押下操作された場合には、高速再生中のコンテンツデータの次に録画されたコンテンツデータを高速再生させる番組スキップを実行する。
【００３３】
設定部１１７ｂは、コンテンツデータが高速再生されている間、ユーザが気になるシーンにおいてリモートコントローラ２００のカラーキー２５ｎを押下操作すると、カラーキー２５ｎが押下操作されたタイミングで、コンテンツデータ内における一または複数の再生位置を設定する。さらに、設定部１１７ｂは、録画再生制御部１１８を介して、記憶装置１１１から、設定した一または複数の再生位置のコンテンツデータの識別情報（番組名や録画日時など）を読み出し、読み出した識別情報をシステムコントローラ１１７内のＲＡＭに格納する。
【００３４】
なお、本実施形態では、ユーザがリモートコントローラ２００のカラーキー２５ｎを一度だけ押下操作するだけで、再生位置が設定されるが、これに限定するものではない。例えば、リモートコントローラ２００のカラーキー２５ｎを一度押下操作すると、コンテンツデータの再生速度が遅くなってスロー再生となり、もう一度、リモートコントローラ２００のカラーキー２５ｎを押下操作すると、正式に再生位置が設定される構成とすることも可能である。これにより、コンテンツデータがスロー再生されている間に、再生位置を設定することができるので、ユーザが所望の再生位置を正確に設定することができる。
【００３５】
連続再生制御部１１７ｃは、録画再生制御部１１８を制御して、高速再生したコンテンツデータのうち、設定部１１７ｂにより設定された一または複数の再生位置近傍（例えば、設定された再生位置の前または後ろに所定時間遡った位置から所定範囲内）の複数のデータ（以下、部分コンテンツデータとする）を所定の再生速度で連続して（続けて）再生させる。本実施形態では、連続再生制御部１１７ｃは、コンテンツデータの高速再生が終了すると、記憶装置１１１に記憶されたコンテンツデータから、システムコントローラ１１７のＲＡＭに格納された識別情報（録画日時）から所定時間以内の識別情報（録画日時）が付加されたコンテンツデータを部分コンテンツデータとして読み出す。そして、連続再生制御部１１７ｃは、録画再生制御部１１８を制御して、読み出した複数の部分コンテンツデータを連続して再生させる。なお、本実施形態では、連続再生制御部１１７ｃは、部分コンテンツデータを続けて再生しているが、これに限定するものではなく、記録媒体のヘッドをシークしたりする時間等を空けて再生しても良い。
【００３６】
なお、本実施形態では、連続再生制御部１１７ｃは、コンテンツデータの高速再生が終了した後に後述する選択部１１７ｄにより選択された再生位置から所定時間以内に再生される部分コンテンツデータから、録画日時が古い順に部分コンテンツデータを連続して再生するものとする。
【００３７】
ところで、ユーザは、コンテンツデータが高速再生されている間に、後でコンテンツデータを再度視聴したいと思ったタイミングでリモートコントローラ２００のカラーキー２５ｎを押下操作して、再生位置を設定する。そして、連続再生制御部１１７ｃは、基本的には、設定部１１７ｂにより設定された一または複数の再生位置から部分コンテンツデータの再生を開始する。しかしながら、コンテンツデータの高速再生中は、例えば１２０倍速という高速な再生速度でコンテンツデータが再生されているため、設定された再生位置が必ずしもユーザが意図した再生位置になるとは限らない。
【００３８】
そこで、連続再生制御部１１７ｃは、部分コンテンツデータの連続再生を行う際、ユーザが実際に再生して欲しいと思われる位置から部分コンテンツデータの連続再生を行う。具体的には、連続再生制御部１１７ｃは、設定部１１７ｂにより設定された再生位置が所定の再生位置である場合（例えば、設定された再生位置が、コンテンツデータの先頭付近である場合やコンテンツデータ内のＣＭの位置である場合など）、設定された再生位置から遡った位置（例えば、コンテンツデータの先頭またはＣＭの後の本編の先頭）近傍の部分コンテンツデータを再生する。
【００３９】
なお、過去番組表の中から所望のコンテンツを選択して当該所望の番組のコンテンツデータを所定の再生速度で再生する場合、多チャンネル受信装置１００は、コンテンツデータの先頭（つまり、コンテンツデータの録画が開始された時刻に録画された位置）から、若しくは指定された時刻に録画された位置から、コンテンツデータを再生するものとする。なお、時刻の指定は、ＵＴＣ（Universal  Coordinated  Time）に従って行うものとする。
【００４０】
また、連続再生制御部１１７ｃは、部分コンテンツデータの連続再生中に、リモートコントローラ２００の順方向スキップキー２５ｒが押下操作されると、順方向スキップキー２５ｒが押下操作されたタイミングにおいて再生されている部分コンテンツデータの再生を中止して、次の部分コンテンツデータの再生に移すものとする。
【００４１】
さらに、連続再生制御部１１７ｃは、各部分コンテンツデータの再生が終了した際に、後述する選択部１１７ｄによって、部分コンテンツデータの再生を続けることが選択されなかった場合、部分コンテンツデータの再生を中止して、記憶装置１１１に記憶されたコンテンツデータのうち、最後に再生した部分コンテンツデータ（再生を終えた部分コンテツンデータ）に続くコンテンツデータを再生する。本実施形態では、連続再生制御部１１７ｃは、部分コンテンツデータの再生を続けることが選択されず、部分コンテンツデータの再生が中止された場合、記憶装置１１１に記憶されたコンテンツデータから、最後に再生した部分コンテンツデータに付加された識別情報（録画日時）に続く識別情報（録画日時）が付加されたコンテンツデータを読み出し、再生する。
【００４２】
選択部１１７ｄは、コンテンツデータの高速再生が終了した後にＴＶに表示された再生位置の一覧から、リモートコントローラ２００からのユーザ操作に応じて、最初に再生する再生位置を選択する。
【００４３】
また、選択部１１７ｄは、連続再生制御部１１７ｃによる各部分コンテンツデータの再生が終了する度に、リモートコントローラ２００からのユーザ操作に応じて、部分コンテンツデータの再生を続けるか、または部分コンテンツデータに続くコンテンツデータの再生を行うかを選択する。
【００４４】
表示部１１７ｅは、コンテンツデータが高速再生されている間、記憶装置１１１から、録画再生制御部１１８を介して、設定部１１７ｂにより設定された再生位置のコンテンツデータ（システムコントローラ１１７のＲＡＭに格納された識別情報が付加されたコンテンツデータ）を読み出し、読み出したコンテンツデータを再生した画像のサムネイル画像を生成する。そして、表示部１１７ｅは、オンスクリーン表示部１１５を介して、生成したサムネイル画像をＴＶに表示する。なお、表示部１１７ｅは、設定部１１７ｂにより再生位置が設定される度に、設定された再生位置のサムネイル画像を生成して、ＴＶに追加して表示していくものとする。
【００４５】
また、表示部１１７ｅは、コンテンツデータが高速再生されている間、高速再生されているコンテンツデータに付加された識別情報や、設定部１１７ｂにより設定された再生位置のコンテンツデータに付加された識別情報をＴＶに表示する。
【００４６】
また、表示部１１７ｅは、コンテンツデータの高速再生が終了した際、設定部１１７ｂにより少なくとも一つ再生位置が設定されていた場合、オンスクリーン表示部１１５を介して、設定された再生位置のコンテンツデータに付加された識別情報を、当該設定された再生位置の一覧としてＴＶに表示する。
【００４７】
さらに、表示部１１７ｅは、部分コンテンツデータが連続して再生されている間、記憶装置１１１から、録画再生制御部１１８を介して、設定部１１７ｂにより設定された再生位置のコンテンツデータ（システムコントローラ１１７のＲＡＭに格納された識別情報が付加されたコンテンツデータ）を読み出し、読み出したコンテンツデータを再生した画像のサムネイル画像を生成する。そして、表示部１１７ｅは、オンスクリーン表示部１１５を介して、生成したサムネイル画像をＴＶに表示する。
【００４８】
なお、表示部１１７ｅは、部分コンテンツデータが連続して再生されている間、ＴＶに表示したサムネイル画像のうち、再生中の部分コンテンツデータと同じコンテンツデータ（つまり、再生中の部分コンテンツデータに付加された識別情報と同じ識別情報が付加されたコンテンツデータ）から生成したサムネイル画像を、当該サムネイル画像の縁の色を変えるなどして強調表示する。
【００４９】
また、表示部１１７ｅは、部分コンテンツデータが連続して再生されている間、設定部１１７ｂにより設定された再生位置のコンテンツデータに付加された識別情報をＴＶに表示する。
【００５０】
さらに、表示部１１７ｅは、一つの部分コンテンツデータの再生が終了する度に、部分コンテンツデータの再生を続けるか、または部分コンテンツデータに続いて録画されたコンテンツデータの再生を行うかの選択を要求するメッセージをＴＶに表示する。
【００５１】
ネットワークＩ／Ｆ１１９は、ＬＡＮやインターネットなどである通信ネットワークＮＷと通信可能に接続する。多チャンネル受信装置１００は、ネットワークＩ／Ｆ１１９により通信ネットワークＮＷと接続することで、ビデオオンデマンドとしてサーバ３００によるネットワークサービスで提供される番組の受信を行うことが可能となる。ネットワークＩ／Ｆ１１９は、サーバ３００によりネットワークサービスで提供された番組のトランスポートストリームを、ＥＰＧ処理部１１２及び録画再生制御部１１８へ送る。なお、サーバ３００によるネットワークサービスで提供される番組は、録画再生制御部１１８の制御の下でネットワークＩ／Ｆ１１９を介してサーバ３００へ通知して指定されたものであってよい。
【００５２】
次に、部分コンテンツデータを連続して再生する、システムコントローラ１１７の動作について説明する。
【００５３】
まず、図３を用いて、本実施形態にかかる多チャンネル受信装置１００による部分コンテンツデータの再生動作の概要について説明する。図３は、本実施形態にかかる多チャンネル受信装置による部分コンテンツデータの再生動作の概要を示すフローチャートである。
【００５４】
リモートコントローラ２００が操作されてコンテンツデータを高速再生するチャンネルが選択されると、速度制御部１１７ａは、録画再生制御部１１８を制御して、選択されたチャンネルのコンテンツデータを高速再生させる（ステップＳ３０１）。設定部１１７ｂは、コンテンツデータが高速再生されている間、リモートコントローラ２００のカラーキー２５ｎが押下操作されると、当該カラーキー２５ｎが押下操作されたタイミングで高速再生されたコンテンツデータ内における再生位置を設定する（ステップＳ３０２）。コンテンツデータの高速再生が終了すると、連続再生制御部１１７ｃは、設定部１１７ｂにより設定された各再生位置から所定時間以内に再生される複数の部分コンテンツデータを所定の再生速度で連続して再生させる（ステップＳ３０３）。
【００５５】
次に、図４を用いて、本実施形態にかかる多チャンネル受信装置１００による部分コンテンツデータの再生動作の詳細について説明する。図４は、本実施形態にかかる多チャンネル受信装置による部分コンテンツデータの再生動作の詳細を示すフローチャートである。
【００５６】
速度制御部１１７ａは、オンスクリーン表示部１１５により表示された過去番組表の中から、コンテンツデータを再生するチャンネルが選択されると（ステップＳ４０１）、選択されたチャンネルのコンテンツデータの先頭から当該選択されたチャンネルのコンテンツデータの終端までの高速再生を開始する（ステップＳ４０２）。
【００５７】
なお、本実施形態では、速度制御部１１７ａは、選択された単一のチャンネルのコンテンツデータを高速再生しているが、これに限定するものではなく、例えば、複数のチャンネルのコンテンツデータを高速再生することもできる。
【００５８】
図５および図６は、複数のチャンネルのコンテンツデータを高速再生する方法の一例を示す図である。本実施形態では、速度制御部１１７ａは、過去番組表の中から選択された単一のチャンネルのコンテンツデータを高速再生して、コンテンツデータの高速再生を終了する。しかしながら、複数のチャンネルの番組が同時録画された場合、速度制御部１１７ａは、単一のチャンネルのコンテンツデータの高速再生で終えないで、一つのチャンネルのコンテンツデータの終端まで再生した後、次のチャンネルのコンテンツデータを高速再生して、これを同時録画した全てのチャンネルについて行う。つまり、速度制御部１１７ａは、図５の矢印に記載された「１」〜「６」の順番で、同時録画した全てのチャンネル（１〜６ｃｈ）の９：００〜１３：００までのコンテンツデータを高速再生する。
【００５９】
若しくは、複数のチャンネルの番組が同時録画された場合、速度制御部１１７ａは、単一のチャンネルのある時間帯のコンテンツデータを高速再生した後、次のチャンネルのある時間帯のコンテンツデータを高速再生して、これを同時録画した全てのチャンネルのある時間帯について行う。そして、同時録画した全てのチャンネルのある時間帯のコンテンツデータの高速再生が終了すると、速度制御部１１７ａは、同様にして、同時録画した全てのチャンネルの次の時間帯のコンテンツデータを高速再生する。つまり、速度制御部１１７ａは、図６の矢印に記載された「１」〜「１８」の順番で、同時録画した全てのチャンネル（１〜６ｃｈ）の９：００〜１３：００までのコンテンツデータを高速再生する。
【００６０】
図４に戻り、コンテンツデータが高速再生されている間、設定部１１７ｂは、リモートコントローラ２００のカラーキー２５ｎが押下操作されたタイミングで、コンテンツデータ内における再生位置を設定する（ステップＳ４０３）。
【００６１】
図７は、コンテンツデータの高速再生中におけるサムネイル画像の表示例を示す図である。表示部１１７ｅは、設定部１１７ｂにより再生位置が設定される度に、記憶装置１１１から、設定された再生位置のコンテンツデータを読み出し、読み出したコンテンツデータを再生した画像のサムネイル画像を生成する。そして、表示部１１７ｅは、オンスクリーン表示部１１５を介して、録画再生制御部１１８により高速再生中のコンテンツデータ７０１の下に、生成したサムネイル画像７０２を一つずつ並べて表示する。そして、生成したサムネイル画像７０２がＴＶの画面内に収まらなくなった場合、表示部１１７ｅは、最初に生成したサムネイル画像７０２から順にＴＶの画面から消していくものとする。また、表示部１１７ｅは、オンスクリーン表示部１１５を介して、高速再生中のコンテンツデータ７０１の下に、当該高速再生中のコンテンツデータ７０１に付加された識別情報７０３を表示し、生成したサムネイル画像７０２の下に、設定された再生位置のコンテンツデータに付加された識別情報７０４を表示する。
【００６２】
図４に戻り、選択されたチャンネルのコンテンツデータが先頭から終端まで高速再生されると（ステップＳ４０４）、連続再生制御部１１７ｃは、設定部１１７ｂにより少なくとも１つの再生位置が設定されたか否かを判断する（ステップＳ４０５）。そして、設定部１１７ｂにより１つも再生位置が設定されていなかった場合（ステップＳ４０５：Ｎｏ）、連続再生制御部１１７ｂは、部分コンテンツデータの連続再生を行わずに処理を終了する。
【００６３】
一方、設定部１１７ｂにより少なくとも１つの再生位置が設定されていた場合（ステップＳ４０５：Ｙｅｓ）、表示部１１７ｅは、設定された再生位置のコンテンツデータに付加された識別情報として取得する（ステップＳ４０６）。そして、表示部１１７ｅは、オンスクリーン表示部１１５を介して、取得した識別情報の一覧をＴＶに表示する（ステップＳ４０７）。
【００６４】
図８は、識別情報の一覧の表示例を示す図である。表示部１１７ｅは、図８に示すように、オンスクリーン表示部１１５を介して、設定された再生位置のコンテンツデータの番組名および録画時刻を識別情報としてＴＶに表示する。さらに、本実施形態では、表示部１１７ｅは、オンスクリーン表示部１１５を介して、ＴＶに表示した識別情報の一覧から、最初に再生する部分コンテンツデータに関わる識別情報を選択するためのカーソル８０１をＴＶに表示する。
【００６５】
図４に戻り、ＴＶに表示された識別情報の一覧から、カーソル８０１の操作に応じて、選択部１１７ｄによって再生位置が選択されると、連続再生制御部１１７ｃは、部分コンテンツデータの連続再生を開始する（ステップＳ４０８）。
【００６６】
まず、連続再生制御部１１７ｃは、設定された再生位置のうち、選択部１１７ｄによって選択された再生位置および当該選択された再生位置よりも後の再生位置それぞれが、コンテンツデータの先頭付近であるか否かを判断する（ステップＳ４０９）。本実施形態では、連続再生制御部１１７ｃは、選択された再生位置のコンテンツデータに付加された識別情報（録画日時）が、選択された再生位置のコンテンツデータと同じ番組のコンテンツデータに識別情報として付加された最も古い録画日時から所定期間以内であるか否かにより、選択された再生位置がコンテンツデータの先頭付近であるか否かを判断するものとする。
【００６７】
そして、再生位置がコンテンツデータの先頭付近であると判断した場合（ステップＳ４０９：Ｙｅｓ）、連続再生制御部１１７ｃは、図９に示すように、再生位置をコンテンツデータの先頭にずらす（ステップＳ４１０）。再生位置がコンテンツデータの先頭付近でないと判断した場合（ステップＳ４０９：Ｎｏ）または再生位置をコンテンツデータの先頭にずらした後（ステップＳ４１０）、連続再生制御部１１７ｃは、再生位置がコンテンツデータ内におけるＣＭであるか否かを判断する（ステップＳ４１１）。なお、コンテンツデータには、当該コンテンツデータ内のＣＭチャプタや本編チャプタの区切りを表す情報が含まれており、当該情報を用いて、再生位置がＣＭチャプタであるか否かを判断するものとする。
【００６８】
再生位置がコンテンツデータ内におけるＣＭであると判断した場合（ステップＳ４１１：Ｙｅｓ）、連続再生制御部１１７ｃは、図１０に示すように、再生位置を本編の先頭にずらす（ステップＳ４１２）。そして、再生位置がＣＭでないと判断した場合（ステップＳ４１１：Ｎｏ）および再生位置を本編の先頭にずらした後（ステップＳ４１２）、連続再生制御部１１７ｃは、再生位置から所定時間以内に再生される部分コンテンツデータを連続して再生する（ステップＳ４１３）。
【００６９】
図１１は、部分コンテンツデータの再生中におけるサムネイル画像の表示例を示す図である。表示部１１７ｅは、部分コンテンツデータが連続して再生されている間、コンテンツデータを高速再生中と同様にして、録画再生制御部１１８により再生中の部分コンテンツデータ１１０１の下に、生成したサムネイル画像７０２を一つずつ並べて表示する。生成したサムネイル画像７０２がＴＶの画面内に収まらない場合、表示部１１７ｅは、生成したサムネイル画像７０２のうち、再生中の部分コンテンツデータに付加された識別情報である録画日時に近い録画日時が識別情報として付加されたコンテンツデータから生成したサムネイル画像７０２をＴＶに表示する。また、表示部１１７ｅは、ＴＶに表示したサムネイル画像のうち、再生中の部分コンテンツデータ１１０１と同じコンテンツデータから生成したサムネイル画像を強調表示する。さらに、表示部１１７ｅは、オンスクリーン表示部１１５を介して、再生中の部分コンテンツデータ１１０１の下に、当該再生中の部分コンテンツデータ１１０１に付加された識別情報１１０２を表示し、生成したサムネイル画像７０２の下に、設定された再生位置のコンテンツデータに付加された識別情報７０４を表示する。
【００７０】
図１２は、部分コンテンツデータの再生が終了する度に表示される選択画面の一例を示す図である。表示部１１７ｅは、図１２に示すように、一つの部分コンテンツデータの再生が終了する度に、部分コンテンツデータの再生を続けるか、または部分コンテンツデータに続いて録画されたコンテンツデータの再生を行うかの選択を要求するメッセージ１２０１にＴＶに表示する。選択部１１７ｄは、ＴＶに表示されたメッセージ１２００に含まれるボタンの操作に応じて、部分コンテンツデータの再生を続けるか、または部分コンテンツデータに続いて録画されたコンテンツデータの再生を行うかを選択する。
【００７１】
図４に戻り、連続再生制御部１１７ｃは、部分コンテンツデータを全て再生したか、または選択部１１７ｄによって部分コンテンツデータに続いて録画されたコンテンツデータの再生を行うことが選択されたかを判断する（ステップＳ４１４）。全ての部分コンテンツデータの再生が終了しておらず、かつ選択部１１７ｄによって部分コンテンツデータの再生を続けることが選択された場合（ステップＳ４１４：Ｎｏ）、連続再生制御部１１７ｃは、部分コンテンツデータの再生を続ける（ステップＳ４１３）。一方、全ての部分コンテンツデータの再生が終了した場合または選択部１１７ｄによって部分コンテンツデータに続いて録画されたコンテンツデータの再生を行うことが選択された場合（ステップＳ４１４：Ｙｅｓ）、連続再生制御部１１７ｃは、部分コンテンツデータの再生を終了する。
【００７２】
このように本実施形態にかかる多チャンネル受信装置１００によれば、録画したコンテンツデータを所定の再生速度より速い再生速度で高速再生させ、コンテンツデータが高速再生されている間、コンテンツデータ内における複数の再生位置を設定し、コンテンツデータの高速再生が終了した後、コンテンツデータのうち、設定された複数の再生位置から所定時間内に再生される部分コンテンツデータを所定の再生速度で連続して再生させることにより、録画したコンテンツデータの中に所望の部分が複数ある場合に、所望の部分だけを連続して視聴することができ、かつ録画したコンテンツデータのうち詳細を把握したい部分を任意に設定できるので、録画したコンテンツデータのうち複数の所望の部分だけを連続して再生させることができる。
【００７３】
なお、本実施形態の多チャンネル受信装置１００で実行されるプログラムは、ＲＯＭ等に予め組み込まれて提供される。本実施形態の多チャンネル受信装置１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００７４】
さらに、本実施形態の多チャンネル受信装置１００で実行されるプログラムを、インターネット等のネットワークに接続されたコンピュータ上に格納し、ネットワーク経由でダウンロードさせることにより提供するように構成しても良い。また、本実施形態の多チャンネル受信装置１００で実行されるプログラムをインターネット等のネットワーク経由で提供または配布するように構成しても良い。
【００７５】
本実施形態の多チャンネル受信装置１００で実行されるプログラムは、上述した各部（速度制御部１１７ａ、設定部１１７ｂ、連続再生制御部１１７ｃ、選択部１１７ｄ、表示部１１７ｅ）を含むモジュール構成となっており、実際のハードウェアとしてはＣＰＵ（プロセッサ）が上記ＲＯＭからプログラムを読み出して実行することにより上記各部が主記憶装置上にロードされ、速度制御部１１７ａ、設定部１１７ｂ、連続再生制御部１１７ｃ、選択部１１７ｄ、表示部１１７ｅが主記憶装置上に生成されるようになっている。
【００７６】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００７７】
１００…多チャンネル受信装置、１１８…録画再生制御部、１１７…システムコントローラ、１１７ａ…速度制御部、１１７ｂ…設定部、１１７ｃ…連続再生制御部、１１７ｄ…選択部、１１７ｅ…表示部。
【図１Ａ】
0005355742.tif 000002
【図１Ｂ】
0005355742.tif 000003
【図２】
0005355742.tif 000004
【図３】
0005355742.tif 000005
【図４】
0005355742.tif 000006
【図５】
0005355742.tif 000007
【図６】
0005355742.tif 000008
【図７】
0005355742.tif 000009
【図８】
0005355742.tif 000010
【図９】
0005355742.tif 000011
【図１０】
0005355742.tif 000012
【図１１】
0005355742.tif 000013
【図１２】
0005355742.tif 000014